(57)【要約】【課題】簡易な方式、構造でインフレーションフィルム１枚の肉厚を検出可能とする。【解決手段】ピンチローラ１０における金属ローラの搬出側周面に向けて、扁平化し、重ね合わせたインフレーションフィルムＦの表側から近赤外線レーザ光線を前記レーザ検出器２０から照射しながら、インフレーションフィルムの全幅にわたり幅方向にトラバースして、重ね合わせたインフレーションフィルムＦの表層と裏層の肉厚を全幅にわたり検出する。【選択図】図１
2017196883.tif 000002
【特許請求の範囲】
【請求項１】
押出機で溶融混練した溶融樹脂をサーキュラダイの環状吐出口から環状に吐出し、このバブル内に供給したエアで吹膨させて、外部に冷風をエアリングで吹き付け２軸延伸して成形されたチューブ状のフィルムを案内板の上部に設けた何れか一方が回転駆動可能な１対のピンチローラにより上方に挟持移送しながら、前記案内板により扁平化して、前記ピンチローラにより方向を変換して下流に移送するインフレーションフィルム成形装置において、このピンチローラの搬出側周面に向けて多層肉厚検出用のレーザ検出器から近赤外線レーザ光を、前記扁平化し、重ね合わせたインフレーションフィルムの表面側から照射しながら、前記扁平化し、重ね合わせたチューブ状のインフレーションフィルムの全幅にわたり幅方向に前記レーザ検出器をトラバースして、前記重ね合わせたインフレーションフィルムの表層と裏層の肉厚を全幅にわたり検出することを特徴とするインフレーションフィルムの肉厚検出方法。
【請求項２】
前記インフレーションフィルムを多層インフレーションフィルムとすることを特徴とする請求項１記載のインフレーションフィルムの肉厚検出方法。
【請求項３】
押出機で溶融混練した溶融樹脂をサーキュラダイの環状吐出口から環状に吐出し、このバブル内に供給したエアで吹膨させて、外部に冷風をエアリングで吹き付け２軸延伸して成形されたチューブ状のフィルムを案内板の上部に設けた何れか一方が回転駆動可能な１対のピンチローラにより上方に挟持移送しながら、前記案内板により扁平化して、前記ピンチローラにより方向を変換して下流に移送するインフレーションフィルム成形装置において、このピンチローラの搬出側周面に向けて、前記扁平化し、重ね合わせたチューブ状のンフレーションフィルムの表面側から近赤外線レーザ光を照射する多層肉厚検出用のレーザ検出器が、前記インフレーションフィルムの全幅にわたり幅方向にトラバース可能に配置され、前記レーザ検出器は扁平化し、重ね合わせたチューブ状のインフレーションフィルムの表層と裏層の肉厚を検出するように構成されていることを特徴とするインフレーションフィルムの肉厚検出装置。
【請求項４】
前記インフレーションフィルムが多層インフレーションフィルムであることを特徴とする請求項３記載のインフレーションフィルムの肉厚検出装置。
【請求項５】
リニアガイドレールが前記扁平化し、重ね合わせたチューブ状の幅方向に沿って延びて設けられ、前記レーザ検出器の基部が、前記リニアガイドレールに沿ってサーボモーターにより移動可能に配置されていることを特徴とする請求項３または４記載のインフレーションフィルムの肉厚検出装置。
【発明の詳細な説明】
【技術分野】
【０００１】  本発明は、インフレーションフィルムの肉厚検出方法とインフレーションフィルムの肉厚検出装置に関する。
【背景技術】
【０００２】  押出機で溶融混練した溶融した合成樹脂をサーキュラダイで管状に吐出し、バブルを膨張させてチューブ状のインフレーションフィルムを形成した後、案内板により扁平化して、案内板の上部に設けたピンチローラで引き取るインフレーションフィルム成形装置において、前記インフレーションフィルムの肉厚を検出する技術が種々開発され、上市されている。
【発明の概要】
【発明が解決しようとする課題】
【０００３】  前記インフレーションフィルム成形装置において成形された前記インフレーションフィルムは、前記扁平化する前に測定する方式としては、導電容量式の厚み検出装置の検出部をチューブ状のインフレーションフィルムの外周面に沿って３６０°回転させて、チューブ状のインフレーションフィルムの全周にわたる肉厚を測定する方式や、更にチューブ状に押し出されたインフレーションフィルム内の中心位置に設けた投光器と、フィルムの外周面に所定距離をおいて３６０°回転可能に設置された受光器とで非接触型の厚み検出装置を構成し、チューブ状のインフレーションフィルムの全周にわたりチューブ状のインフレーションフィルム１枚の肉厚を測定しているが、どちらにしても検出装置が大型化し、高コストで、改良する余地がある。この従来の技術の欠点を改良し、簡易な方式、構造でインフレーションフィルムほぼ全周の肉厚を検出可能とすることを本発明の目的とする。
【課題を解決するための手段】
【０００４】  前記課題を解決するために、本出願の主発明は、押出機で溶融混練した溶融樹脂をサーキュラダイの環状吐出口から環状に吐出し、このバブル内に供給したエアで吹膨させて、外部に冷風をエアリングで吹き付け２軸延伸して成形されたチューブ状のフィルムを案内板の上部に設けた何れか一方が回転駆動可能な１対のピンチローラにより上方に挟持移送しながら、前記案内板により扁平化して、前記ピンチローラにより方向を変換して下流に移送するインフレーションフィルム成形装置において、
このピンチローラの搬出側周面に向けて多層肉厚検出用のレーザ検出器から近赤外線レーザ光を、前記扁平化し、重ね合わせたインフレーションフィルムの表面側から照射しながら、前記扁平化し、重ね合わせたチューブ状のインフレーションフィルムの全幅にわたり幅方向に前記レーザ検出器をトラバースして、前記重ね合わせたインフレーションフィルムの表層と裏層の肉厚を全幅にわたり検出することを特徴とするインフレーションフィルムの肉厚検出方法とする。【０００５】  主発明において、前記インフレーションフィルムを多層インフレーションフィルムとする。【０００６】  前記課題を解決するために、本出願の関連発明は、押出機で溶融混練した溶融樹脂をサーキュラダイの環状吐出口から環状に吐出し、このバブル内に供給したエアで吹膨させて、外部に冷風をエアリングで吹き付け２軸延伸して成形されたチューブ状のフィルムを案内板の上部に設けた何れか一方が回転駆動可能な１対のピンチローラにより上方に挟持移送しながら、前記案内板により扁平化して、前記ピンチローラにより方向を変換して下流に移送するインフレーションフィルム成形装置において、
このピンチローラの搬出側周面に向けて、前記扁平化し、重ね合わせたチューブ状のインフレーションフィルムの表裏側の一方から近赤外線レーザ光を照射する多層肉厚検出用のレーザ検出器が、前記インフレーションフィルムの全幅にわたり幅方向にトラバース可能に配置され、前記レーザ検出器は扁平化し、重ね合わせたチューブ状のインフレーションフィルムの表層と裏層の肉厚を検出するように構成されていることを特徴とするインフレーションフィルムの肉厚検出装置とする。【０００７】  関連発明において、前記インフレーションフィルムが多層インフレーションフィルムである。またリニアガイドレールが前記扁平化し、重ね合わせたチューブ状の幅方向に沿って延びて設けられ、前記レーザ検出器の基部が、前記リニアガイドレールに沿ってサーボモーターにより移動可能に配置されていることが好ましい。
【発明の効果】
【０００８】  主発明および関連発明では、扁平化し、重ね合わせたインフレーションフィルムの表面側から近赤外線レーザ光線を照射しながら、インフレーションフィルムの全幅にわたり幅方向にトラバースすることにより、前記重ね合わせた状態で、インフレーションフィルムの表層と裏層、即ち重ね合わさる２枚のフィルムの肉厚を同時に検出することができ。またこのピンチローラの搬出側周面に向けて多層肉厚検出用のレーザ検出器から近赤外線レーザ光を、前記扁平化し、重ね合わせたインフレーションフィルムの表裏側の一方より照射しながら、前記扁平化し、重ね合わせたチューブ状のインフレーションフィルムの全幅にわたり幅方向に前記レーザ検出器をトラバースして、前記重ね合わせたインフレーションフィルムの表層と裏層の肉厚を全幅にわたり検出することにより、インフレーションフィルム間へのエアの巻き込みを伴わずに精度良く肉厚を検出できる。
更に多層肉厚検出用のレーザ検出器の使用に伴い、レーザ光が物質の表面と裏面で反射光の時間差を変える原理に基づいて、確実に前記扁平化し、重ね合わせたインフレーションフィルムの表層と裏層の肉厚を全幅にわたり検出できる。前記要するに、本発明では、従来技術のような扁平化前のチューブ状のインフレーションフィルム全周にわたり３６０°検出装置の検出部を回転することなく、簡易な方式、構造でインフレーションフィルムほぼ全周の肉厚を検出できる。
殊に前記多層インフレーションフィルムの各層の肉厚をも検出できる。
リニアガイドレールが前記扁平化し、重ね合わせたチューブ状の幅方向に沿って延びて設けられ、前記レーザ検出器の基部が、前記リニアガイドレールに沿ってサーボモーターにより移動可能に配置されている場合は、安定して前記レーザ検出器を移動できる。
【図面の簡単な説明】
【０００９】
【図１】  インフレーションフィルム成形装置の概略正面図である。
【図２】  図１における検出器部分の拡大図である。
【図３】  検出器部分での肉厚測定の過程を示す図である。
【発明を実施するための形態】
【００１０】  図１において、符号Ａは、請求項３、４、５に記載された発明の代表的な実施の形態のインフレーションフィルム成形装置Ｂにおけるインフレーションフィルムの肉厚検出装置を示す。インフレーションフィルム成形装置Ｂは、押出機Ｃで溶融混練した溶融樹脂をサーキュラダイの環状吐出口から環状に吐出し、このバブル内に供給したエアで吹膨させて、外部に冷風をエアリングで吹き付け２軸延伸して成形されたチューブ状のフィルムＤを案内板Ｅの上部に設けた何れか一方が回転駆動可能な１対のピンチローラ１０により上方に挟持移送しながら、前記案内板Ｄにより扁平化して、前記ピンチローラ１０により方向を変換して下流に移送し、巻き取り機の巻き取りローラに巻き取る。前記１対のピンチローラ１０は、モータで回転駆動されるゴムローラと、このゴムローラに対向する金属ローラからなる。前記インフレーションフィルムの肉厚検出装置Ａでは、このピンチローラ１０における前記金属ローラの搬出側周面に向けて、前記扁平化し、重ね合わせたチューブ状のインフレーションフィルムＦの表面側から近赤外線レーザ光を前記周面に対してほぼ直角に照射する多層肉厚検出用のレーザ検出器２０（図２参照）が、前記扁平化し、重ね合わせたチューブ状のインフレーションフィルムＦの全幅にわたり幅方向にトラバース可能に配置される。例えば、リニアガイドレール（図示せず）が前記扁平化し、重ね合わせたチューブ状のインフレーションフィルムＦの幅方向に沿って延びて設けられ、前記レーザ検出器２０の基部が、前記リニアガイドレールに沿ってサーボモータ（図示せず）により移動可能に配置されている（請求項５記載の代表的な実施の形態に相当）。
前記レーザ検出器２０は扁平化し、重ね合わせたチューブ状のインフレーションフィルムＦの表層と裏層の肉厚を検出するように構成されている。多層肉厚検出用のレーザ検出器は、レーザ光が物質の表面と裏面で反射光の時間差を変える原理に基づいて、重ね合わせたフィルムの各層の厚さを検出するもので、例えば、不二越機械工業株式会社製のものとする。
【００１１】  前記インフレーションフィルムは多層インフレーションフィルムとする場合もある（請求項４記載の代表的な実施の形態に相当）。
【００１２】  この形態の装置の作用を請求項１、２に記載された発明の代表的な実施の形態として説明する。
前記ピンチローラ１０における前記金属ローラの搬出側周面に向けて、扁平化し、重ね合わせたインフレーションフィルムの表面側から近赤外線レーザ光線を前記レーザ検出器２０から照射しながら、インフレーションフィルムの全幅にわたり幅方向にトラバースして、前記扁平化し、重ね合わせたインフレーションフィルムＦの表層と裏層の肉厚を全幅にわたり検出する。即ち、図３に図示するように、表層の厚さは、前記インフレーションフィルムＦの表面までのレーザ距離を前記インフレーションフィルムＦの表層と裏層の境界面までのレーザ距離から引いた値として検出され、また裏層の厚さは前記インフレーションフィルムＦの表層と裏層の境界面までのレーザ距離を前記インフレーションフィルムの裏面までのレーザ距離から引いた値として検出される。
前記インフレーションフィルムを多層インフレーションフィルムとする場合も、同様に扁平化し、重ね合わせたチューブ状のインフレーションフィルムＦの表層と裏層の肉厚を検出する共に、多層である表裏面における各層の肉厚を検出する。
なお、前記レーザ検出器に代えて、別の方式の非接触式の検出器で、前記の原理に従うものを採用し、使用する態様でも、本件発明の技術的範囲に属することは云うまでもない。
【符号の説明】
【００１３】１０    ピンチローラ
２０    レーザ検出器
Ａ      インフレーションフィルム成形装置
Ｂ      インフレーションフィルムの肉厚検出装置
Ｃ      押出機
Ｄ      チューブ状のフィルム
Ｅ      案内板
Ｆ      扁平化し、重ね合わせたインフレーションフィルム
【図１】
2017196883.tif 000003
【図２】
2017196883.tif 000004
【図３】
2017196883.tif 000005